(57)【要約】【課題】シャッタロック部材をロック位置に付勢する付勢部材をシャッタ部材と一体的に形成するとともに、上記付勢部材が外力により変形するのを防止する。【解決手段】  ディスクカートリッジ１は、ディスク状記録媒体２と、ディスク状記録媒体２の一部を外部に臨ませる記録及び／又は再生用開口部４３を設けたカートリッジ本体３と、上記開口部４３を開閉シャッタ部材４と、シャッタ部材４が上記開口部４３を閉塞する位置に在るときにカートリッジ本体３に設けた移動規制部３ｅに係合してシャッタ部材４が上記用開口部４３を開放する方向に移動するのを規制するシャッタ移動規制部材７と、を備えている。上記シャッタ移動規制部材７を上記移動規制部３ｅに係合する方向に付勢する付勢部材６をシャッタ部材４と一体に形成するとともに、上記カートリッジ本体３には、上記付勢部材６が外部からの圧力で変形するのを防止する変形防止部材７を設けた。【選択図】  図１
2005322290.tif 000002
【特許請求の範囲】
【請求項１】
ディスク状記録媒体と、
上記ディスク状記録媒体を回転可能に収納しているとともに、上記ディスク状記録媒体の一部を外部に臨ませる記録及び／又は再生用開口部を設けたカートリッジ本体と、
上記記録及び／又は再生用開口部を閉塞する位置と開放する位置と間に亘って移動可能に上記カートリッジ本体に取付けられたシャッタ部材と、
上記シャッタ部材が上記記録及び／又は再生用開口部を閉塞する位置に在るときに上記カートリッジ本体に設けた移動規制部に係合して上記シャッタ部材が上記記録及び／又は再生用開口部を開放する方向に移動するのを規制するシャッタ移動規制部材と、を備え、
上記シャッタ部材は、上記シャッタ移動規制部材を上記カートリッジ本体に設けた移動規制部に係合する方向に付勢する付勢部材が一体に形成され、
上記カートリッジ本体には、上記付勢部材が外圧で変形するのを防止する変形防止部材が設けられていることを特徴とするディスクカートリッジ。
【請求項２】
上記付勢部材は、上記シャッタ部材の一側から延長された延長片と、上記延長片の先端部に設けた折返部を介して上記延長片の内側に重なるように折り返すことにより形成されていて上記シャッタ移動規制部材を上記カートリッジ本体に設けた移動規制部に係合する方向に付勢する弾性変位片と、を備え、上記カートリッジ本体の側面に設けた開口部から外部に臨む位置に配置されていることを特徴とする請求項１に記載のディスクカートリッジ。
【請求項３】
上記変形防止部材は、上記付勢部材と、上記カートリッジ本体内にディスク収納部を構成するディスク収納部構成壁と、の間に配置されていることを特徴とする請求項１に記載のディスクカートリッジ。
【請求項４】
上記変形防止部材は、上記シャッタ部材が上記記録及び／又は再生用開口部を閉塞する位置に在るときに上記付勢部材の内面側に面接触するリブで構成されていることを特徴とする請求項１に記載のディスクカートリッジ。
【請求項５】
上記変形防止部材は、上記シャッタ部材が上記記録及び／又は再生用開口部を閉塞する位置に在るときに上記付勢部材の内面側にする円弧状の第1のリブと、該円弧状のリブの一端部に連接されていて上記シャッタ部材の移動範囲内で、且つ移動方向に伸びる直線状の第2のリブと、で構成されていることを特徴とする請求項１に記載のディスクカートリッジ。
【発明の詳細な説明】
【技術分野】
【０００１】
本発明は、光ディスク等のディスク状記録媒体を収納したディスクカートリッジに関し、特にシャッタ移動規制部材をシャッタロック位置に付勢している付勢部材をシャッタ部材と一体的に形成するとともに、上記付勢部材が外力により変形するのを防止できるようにしたものである。
【背景技術】
【０００２】
図１１に示すように、カートリッジ本体１０１に設けた記録再生用の開口部１０２を開閉するシャッタ部材１０３の一側部にこれと一体に付勢部材１０４を形成するとともに、シャッタ部材１０３を記録再生用の開口部１０２を閉じた位置にロックするロック部材１０５を設けたディスクカセット１０６が知られている。（例えば、特許文献１参照）。
【特許文献１】実開昭６２−８３２７４号公報
【発明の開示】
【発明が解決しようとする課題】
【０００３】
ところで、上記従来のディスクカセットにおいて、シャッタ部材１０３と一体に形成した板バネ状の付勢部材１０４は、所謂シャッタスプリングとして上記シャッタ部材１０３を記録再生用の開口部１０２を閉じる位置に付勢するためのものであって、ロック部材１０５をロック位置に付勢するものではない。従来、シャッタ部材と一体に形成した付勢部材によってロック部材をロック位置に付勢するものは余り知られていない。
【０００４】
本発明の目的は、シャッタロック部材をロック位置に付勢する付勢部材をシャッタ部材と一体的に形成するとともに、上記シャッタ部材と一体的に形成した付勢部材が外力により変形するのを防止できるようにしたディスクカートリッジを提供することにある。
【課題を解決するための手段】
【０００５】
本発明のディスクカートリッジは、ディスク状記録媒体と、上記ディスク状記録媒体を回転可能に収納しているとともに、上記ディスク状記録媒体の一部を外部に臨ませる記録及び／又は再生用開口部を設けたカートリッジ本体と、上記記録及び／又は再生用開口部を閉塞する位置と開放する位置と間に亘って移動可能に上記カートリッジ本体に取付けられたシャッタ部材と、上記シャッタ部材が上記記録及び／又は再生用開口部を閉塞する位置に在るときに上記カートリッジ本体に設けた移動規制部に係合して上記シャッタ部材が上記記録及び／又は再生用開口部を開放する方向に移動するのを規制するシャッタ移動規制部材と、を備えたディスクカートリッジにおいて、
上記シャッタ部材に、上記シャッタ移動規制部材を上記カートリッジ本体に設けた移動規制部に係合する方向に付勢する付勢部材を一体に形成するとともに、上記カートリッジ本体には、上記付勢部材が外圧で変形するのを防止する変形防止部材を設けた。
【０００６】
特に、上記付勢部材を、上記シャッタ部材の一側から延長された延長片と、上記延長片の先端部に設けた折返部を介して上記延長片の内側に重なるように折り返すことにより形成されていて、先端部で上記シャッタ移動規制部材を上記カートリッジ本体に設けた移動規制部に係合する方向に付勢する弾性変位片と、で構成するとともに、上記付勢部材を、上記カートリッジ本体の側面に設けた開口部から外部に臨む位置に配置した。
【０００７】
また、上記変形防止部材を、上記付勢部材と、上記カートリッジ本体内にディスク収納部を構成するディスク収納部構成壁と、の間に配置した。
【０００８】
さらに、上記変形防止部材を、上記シャッタ部材が上記記録及び／又は再生用開口部を閉塞する位置に在るときに、上記変形防止部材が上記付勢部材の内面側に位置する円弧状のリブで構成し、該円弧状のリブで上記付勢部材を内面側から広範囲に支持するようにした。
【０００９】
また、上記変形防止部材を、上記円弧状のリブと、該円弧状のリブの一端部に連接されていて上記シャッタ部材の移動範囲内で、且つ移動方向に伸びる直線状のリブと、で構成した。
【発明の効果】
【００１０】
シャッタロック部材をロック位置に付勢する付勢部材をシャッタ部材と一体的に形成したので、従来のシャッタ部材と別体の付勢部材を使用する場合に比べて部品点数の削減および付勢部材取付工数の削減を図ることができるとともに、上記シャッタ部材と一体的に形成した付勢部材が外力を受けることにより変形するのを変形防止部材で防止する。
【００１１】
特に、上記付勢部材を、上記シャッタ部材の一側から延長された延長片と、上記延長片の先端部に設けた折返部を介して上記延長片の内側に重なるように折り返した弾性変位片と、で構成したので、上記付勢部材の全長を長くして付勢部材のバネ定数を低く調整することができる。また、上記シャッタ部材をカートリッジ本体に取付ける際にカートリッジ本体の側面に設けた開口部を介して上記付勢部材をカートリッジ本体内に容易に挿入することができる。
【００１２】
また、上記変形防止部材を、上記付勢部材と、上記カートリッジ本体内にディスク収納部を構成するディスク収納部構成壁と、の間に配置したので、上記変形防止部材が上記ディスク収納部内に収納されている記録媒体カートリッジの回転を阻害することはない。
【００１３】
さらに、上記変形防止部材を、上記シャッタ部材が上記記録及び／又は再生用開口部を閉塞する位置に在るときに、上記付勢部材の内面側に位置する円弧状のリブで構成したので、上記カートリッジ本体の側面に設けた開口部を介して上記付勢部材の外面が押圧された場合に上記付勢部材を内面側から広範囲に支持して、上記付勢部材が変形するのを確実に防止する。
【００１４】
また、上記変形防止部材を、上記円弧状のリブと、該円弧状のリブの一端部に連接されていて上記シャッタ部材の移動範囲内で、且つ移動方向に伸びる直線状のリブと、で構成したので、上記シャッタ部材が記録及び／又は再生用開口部を閉塞している場合は上記円弧状のリブで上記付勢部材の変形を防止し、上記シャッタ部材の移動時および上記シャッタ部材が上記録及び／又は再生用開口部を開放する位置に在るときには上記直線状のリブで上記付勢部材の変形を防止する。
【発明を実施するための最良の形態】
【００１５】
図１はディスクカートリッジを上ハーフ側から見た斜視図、図２はディスクカートリッジを下ハーフ側から見た平面図、図３はシャッタ部材をスライドさせて記録及び／又は再生用開口部を開放した状態の斜視図、図４はシャッタ部材をロックしている状態の平面図、図５はシャッタ部材のロックを解除した状態の要部の平面図である。
【００１６】
図１〜図３に示すように、ディスクカートリッジ１は、ディスク状記録媒体２と、上記ディスク状記録媒体２を円形状のディスク収納部内に回転可能に収納しているとともに、上記ディスク状記録媒体２の一部を外部に臨ませる記録及び／又は再生用開口部３４を設けたカートリッジ本体３と、上記記録及び／又は再生用開口部３４を閉塞する位置と開放する位置と間に亘って移動可能に上記カートリッジ本体３に取付けられたシャッタ部材４と、上記シャッタ部材４が上記記録及び／又は再生用開口部３４を閉塞する位置に在るときに上記カートリッジ本体３に設けた移動規制部３ｅ（図４参照）に係合することによって上記シャッタ部材４が上記記録及び／又は再生用開口部３４を開放する方向に移動するのを規制するシャッタ移動規制部材５と、上記シャッタ移動規制部材５を上記カートリッジ本体３に設けた移動規制部３ｅに係合する方向に付勢している付勢部材６と、上記付勢部材６が外力を受けて変形するのを防止する変形防止部材７と、を備えている。
【００１７】
以下、ディスク状記録媒体２、カートリッジ本体３、シャッタ部材４、シャッタ移動規制部材５、付勢部材６、変形防止部材７の各部について詳細に説明する。
【００１８】
図1、図２に示すように、上記ディスク状記録媒体２は、ゲーム用のソフト等が記録された光ディスク２１の中央部にチャッキング用のハブ２２を取付けることにより構成されている。上記光ディスク２１は、直径５０mm程度の小径に形成されている。上記チャッキング用のハブ２２は、マグネットに吸引されるステンレス等の磁性金属により形成されている。
【００１９】
上記カートリッジ本体３は、上，下ハーフ３１，３２の周壁３１ａ，３２ａを突き合わせることにより形成されている。図４に示すように、上記周壁３１ａ，３２ａの内側にはディスク収納部を構成する円弧状のディスク収納部構成壁３１ｂ，３２ｂが設けられている。
【００２０】
図３に示すように、上記カートリッジ本体３は、前面３ａ（後に説明するディスク記録及び／又は再生装置への挿入端側の側面）が上記光ディスク２１と略同じ曲率半径の円弧状面（半円形状面）に形成され、上記前面３ａに連続する左右の側面３ｂ，３ｃは、互いに平行するフラット面に形成され、上記前面３ａに対向する背面３ｄは、上記左右の側面（以下、第１，第２の側面と称する）３ｂ，３ｃに連続するなだらかに連続する湾曲面に形成されている。
【００２１】
上記下ハーフ３２の中央部には、上記ディスク状記録媒体２のハブ２２を外部に臨ませる駆動用開口部３３が設けられている。また、上記駆動用開口部３３の近傍から上記第２の側面３ｃに亘って、上記ディスク状記録媒体２の光ディスク２１の情報記録面を外部に臨ませる記録及び／又は再生用開口部３４が設けられている。上記駆動用開口部３３を介して上記ディスク状記録媒体２のハブ２２がディスク記録及び／又は再生装置のディスクテーブル上にマグネットチャッキングされる。また、上記記録及び／又は再生用開口部３４を介して上記ディスク状記録媒体２の光ディスク２１に対してディスク記録及び／又は再生装置の光学ピックアップにより情報の記録及び／又は再生が行われる。
【００２２】
下ハーフ３２の外面３２ｃから上記第２の側面３ｃにかけて凹状の段差部（以下、第１の窪み部と称する）３５が設けられている。上記第１の窪み部３５は、次に説明するシャッタ部材４を下ハーフ３２の外面３２ｂおよび第２の側面３ｃから突出させることなく、更に詳しく言えばシャッタ部材４を、下ハーフ３２の外面３２ｃおよび第２の側面３ｃ側の周壁の外面と面一にした状態で取付けるためのものであり、且つシャッタ部材４の移動範囲を規定するものである。
【００２３】
上記第１の窪み部３５の上記駆動用開口部３３側の端部は、上記第１の窪み部３５よりも更に深い第２の窪み部３６になっている。上記第２の窪み部３６には、次に説明するシャッタ部材４の開口開閉部４４の先端に設けた折曲部４４ａが挿入される。上記第２の窪み部３６は、下ハーフ３２に取付けたシャッタガイド板３７によって上記折曲部４４ａの上方を塞がれる。そして、上記シャッタガイド板３７で上記シャッタ部材４の開口開閉部４４の先端が捲くれ上がるのを防止する。なお、上記シャッタガイド板３７も下ハーフ３２の外面と面一にした状態で下ハーフ３２に取付けられている。
【００２４】
図６に示すように、上ハーフ３１は、上記第２の側面３ｃ側の周壁３１ａにシャッタ部材４の移動方向に伸びるガイド溝３８を備えている。また、下ハーフ３２の上記側面３ｂ側の周壁３２ａは除去された状態になっていて、上ハーフ３１の上記第２の側面３ｃ側の周壁３１ａとの間にシャッタ部材ガイド用の開口部３９が形成されている。
【００２５】
また、上記シャッタ部材ガイド用の開口部３９に連なるシャッタロック解除部材導入溝４０が上記カートリッジ本体３の第２の側面３ｃから前面３ａにかけて形成されているとともに、上記カートリッジ本体３の第１の側面３ｂには、機能拡張用溝４１が設けられている。また、図３に示すように、下ハーフ３２の前面３ａ側の外面には一対の位置決め穴４２，４３が設けられている。
【００２６】
図７に拡大して示すように、上記シャッタ部材４は、上記記録及び／又は再生用開口部３４を開閉する平板状の開口開閉部４４と、上記開口開閉部４４を上記下ハーフ３２の第１の窪み部３５上に重ね合わせた状態で上記記録及び／又は再生用開口部３４を開放する位置と閉塞する位置の間に亘って移動可能に上記カートリッジ本体３に組み付けるための組付部４５と、を備えている。
【００２７】
上記組付部４５は、上記開口開閉部４４の一端側を略直角に折り曲げることにより形成された第１の移動ガイド片４６と、上記第１の移動ガイド片４６の先端部を上記開口開閉部４４と同方向に略略直角に折り曲げることにより形成された第２の移動ガイド片４７と、を備えている。
【００２８】
上記第１の移動ガイド片４６は、中央部に次に詳しく説明するシャッタ移動規制部材５の被押圧部が臨む押圧操作用の開口部４８を備えている。上記第１の移動ガイド片４６のシャッタ移動方向の両側部で、且つ上記カートリッジ本体３の厚み方向の略中央部には、上記第２の移動ガイド片４７と略平行に第３，第４の移動ガイド片４９，５０が設けられ、これら第３，第４の移動ガイド片４９，５０の先端部には上記開口開閉部４４に対して離間する方向に伸びる抜け止め片５１ａ，５１ｂが設けられている。また、上記第４の移動ガイド片５０の下面には、シャッタ移動規制部材５を回動可能に取付けるためのボス状の軸部５２が設けられている。上記シャッタ部材４は、所定の形状に打ち抜いた金属板を折り曲げることにより形成されている。
【００２９】
図８に示すように、上記シャッタ部材４は、上記第１の移動ガイド片４６を上記カートリッジ本体３の第２の側面３ｃのシャッタロック解除部材導入溝４０内に重ね合わせて、上記第２の移動ガイド片４７を上記上ハーフ３１に設けたガイド溝３８に挿入するとともに、上記第３の移動ガイド片４９を上記シャッタ部材ガイド用の開口部３９からカートリッジ本体３内に挿入し、これら第３の移動ガイド片４９の先端に設けた抜け止め片５１ａを上記上ハーフ３１の周壁３１ａの底面に設けた溝３２ｅに係合させ，上記第４の移動ガイド片５０の先端に設けた抜け止め片５１ｂを上記上ハーフ３１の周壁３１ａの内面３２ｆに係合させることにより上記カートリッジ本体３の側面３ｂにスライド可能に取付けられている。
【００３０】
図２に示すように、上記シャッタ部材４は、上記カートリッジ本体３の前面３ａ側にスライドさせたときに、上記開口開閉部４４で上記記録及び／又は再生用開口部３４を閉塞する。また、図３に示すように、上記シャッタ部材４は、上記カートリッジ本体３の前面３ａ側にスライドさせたときに、上記記録及び／又は再生用開口部３４を開放する。
【００３１】
図６、図７に示すように、上記シャッタ移動規制部材５は、中央部に軸受穴５５を設けた平板状の本体部５６と、上記本体部５６の一端部に設けられた被押圧部５７と、上記本体部５６の他端部に設けられた係合部５８と、を備え、上記本体部５６の被押圧部５７側の端部に回動阻止用の凸部５９が設けられている。上記被押圧部５７と係合部５８は、上記本体部５６の一端部と他端部を同方向に略直角に折り曲げることにより形成されている。上記シャッタ移動規制部材５は、所定の形状に打ち抜いた金属板を折り曲げることにより形成されている。
【００３２】
上記シャッタ移動規制部材５は、上記シャッタ部材４の第４の移動ガイド片５０に設けた軸受穴５５に上記ボス状の軸部５２を挿入することにより上記第４の移動ガイド片５０に回動可能に取付けられている。そして、上記シャッタ移動規制部材５を、上記回動阻止用の凸部５９が上記シャッタ部材４の第１の移動ガイド片４６の内面に当接するまで回動させると、図２に示すように、上記被押圧部５７が上記シャッタ部材４の第１の移動ガイド片４６の中央部に設けた押圧操作用の開口部４８に臨み、かつ図４に示すように、上記係合部５８が上記カートリッジ本体３に設けた移動規制部３ｅに係合可能になって上記シャッタ部材４の移動を阻止するようになっている。
【００３３】
上記付勢部材６は、上記シャッタ部材４の一側から延長された延長片６ａ、上記延長片６ａの先端部に設けた折返部６ｂを介して上記延長片６ａを折り返した弾性変位片６ｃと、で形成されている。
【００３４】
上記延長片６ａは、上記シャッタ部材４をカートリッジ本体３に組み付けたときに、上記シャッタ部材ガイド用の開口部３９からカートリッジ本体３内に侵入するように湾曲させて形成されている。また、上記弾性変位片６ｃは、上記延長片６ｃの内面に重なるように湾曲させた状態で折り返されていて、その先端部で、上記シャッタ移動規制部材５の一端側に設けた被押圧部５７を押圧して、該被押圧部５７を上記シャッタ部材４の第１の移動ガイド片４６の中央部に設けた押圧操作用の開口部４８に臨ませている。上記延長片６ａは、上記付勢部材６の弾性を調整可能にする。
【００３５】
図４に示すように、上記シャッタ部材４が上記記録及び／又は再生用開口部４３を閉塞している状態においては、上記付勢部材６は、上記弾性変位片６ｃの先端部で、上記シャッタ移動規制部材５の一端側に設けた被押圧部５７を押圧し上記取付軸８を中心にして上記シャッタ移動規制部材５を時計方向に回動させて、上記シャッタ移動規制部材５の他端側に設けた係合部５８を上記カートリッジ本体３に設けた移動規制部材３ａに対して係合可能な位置に位置させている。この状態で上記シャッタ部材４を上記記録及び／又は再生用開口部４３を開放する方向に移動させようとすると、上記シャッタ移動規制部材５の他端側に設けた係合部５８が上記カートリッジ本体３に設けた移動規制部３ｅに係合して上記シャッタ部材４の移動を阻止するようになっている。そして、ディスクカートリッジ１をディスク記録及び／又は再生装置のカートリッジホルダに挿入すると、図５に示すように、カートリッジホルダの側面に設けた板バネのシャッタロック解除部材２０１が上記シャッタ部材４の第１の移動ガイド片４６の中央部に設けた押圧操作用の開口部４８に導入されて、上記シャッタ移動規制部材５の被押圧部５７を押圧し、上記シャッタ移動規制部材５が取付軸８を中心に反時計方向に回動して、上記係合部５８を上記移動規制部３ｅに対して係合不可能な位置に逃がして、上記シャッタ部材４を上記記録及び／又は再生用開口部４３を開放する方向に移動可能にする。
【００３６】
図９に示すように、上記変形防止部材７は、上記付勢部材６と、上記カートリッジ本体３内にディスク収納部を構成するディスク収納部構成壁３１ｂ，３２ｂと、の間に配置されている。
【００３７】
上記変形防止部材７は、上記シャッタ部材４が上記記録及び／又は再生用開口部４３を閉塞する位置に在るときに、上記付勢部材６の内面に面接触する円弧状のリブで構成されているので、上記カートリッジ本体３の側面に設けた開口部３９を介して上記付勢部材６の外面が押圧された場合に、上記付勢部材６を内面側から広範囲に支持して、上記付勢部材６が変形するのを確実に防止する。
【００３８】
図１０は、上記変形防止部材７の変形例を示す。この変形例において、変形防止部材７は、上記円弧状のリブ７ａと、該円弧状のリブ７ａの一端部に連接されていて上記シャッタ部材４の移動範囲内で、且つ移動方向に伸びる直線状のリブ７ｂと、で構成されていて、上記シャッタ部材４が記録及び／又は再生用開口部４３を閉塞している場合は、上記円弧状のリブ７ａで上記付勢部材６の変形を防止し、上記シャッタ部材４の移動時および上記シャッタ部材４が上記録及び／又は再生用開口部４３を開放する位置に在るときには上記直線状のリブ７ｂで上記付勢部材６の変形を防止する。
【図面の簡単な説明】
【００３９】
【図１】記録媒体カートリッジの斜視図。（シャッタ閉状態）。
【図２】記録媒体カートリッジを裏面側から見た斜視図。（シャッタ閉状態）。
【図３】記録媒体カートリッジを裏面側から見た斜視図。（シャッタ開状態）。
【図４】シャッタをロックしている状態の平面図。
【図５】シャッタのロックを解除した状態の要部の平面図。
【図６】シャッタを取付ける前の状態の分解斜視図。
【図７】シャッタにシャッタ移動規制部材を取付けた状態の斜視図。
【図８】シャッタの取付け状態の断面図。
【図９】変形防止部材部分の拡大平面図。
【図１０】変形防止部材の変形例を示す平面図。
【図１１】従来例の説明図。
【符号の説明】
【００４０】
１…記録媒体カートリッジ、２…ディスク状記録媒体、３…カートリッジ本体、３…カートリッジ本体、３ｅ…移動規制部、４…シャッタ部材、５…シャッタ移動規制部材、６…付勢部材、７…変形防止部材、７ａ…円弧状のリブ、７ｂ…直線状のリブ、３４…記録及び／又は再生用開口部。
【図１】
2005322290.tif 000003
【図２】
2005322290.tif 000004
【図３】
2005322290.tif 000005
【図４】
2005322290.tif 000006
【図５】
2005322290.tif 000007
【図６】
2005322290.tif 000008
【図７】
2005322290.tif 000009
【図８】
2005322290.tif 000010
【図９】
2005322290.tif 000011
【図１０】
2005322290.tif 000012
【図１１】
2005322290.tif 000013